(57)【特許請求の範囲】
【請求項１】
底部より立ち上げた側板を分解可能に組立てるための構成を有する組立て式コンテナーであって、隣接する一方の側板の端部にハンドル取り付け部を設けるとともに、このハンドル取り付け部に、外側方を上向きに傾斜した傾斜軸孔を形成して、これに、板面と略平行な面内にて回転可能かつ同面内にて直線移動可能に、ハンドルを軸を用いて装着し、ハンドルは外側方へ伸びたフック部を有するとともに、フック部が重りになって下がる位置を取るように、上記ハンドル装着の軸位置を設定し、隣接する他方の側板の端にハンドルのフック部を通す通口部を形成し、かつ通口部の下縁にフック部を掛け止めることにより隣接の立ち上げられた側板同士を固定することを特徴とする組立て式コンテナー。
【請求項２】
ハンドルは、フック方向から見てクランク状に曲げられた部分を有し、クランク状部分より上部は側板の板面に近付き、同部分より下部は板面から離れる状態で、側板に設けられているハンドル取り付け部に軸支されている請求項１記載の組立て式コンテナー。
【請求項３】
ハンドルは、ハンドル取り付け部の裏側に配置され、ハンドルの上部がハンドル取り付け部に隠され、ハンドルの下部はハンドル取り付け部から露出し、かつ側板の板面から浮き上がって手を差し入れる空所を提供している請求項１記載の組立て式コンテナー。
【発明の詳細な説明】
【０００１】
【発明の属する技術分野】
本発明は、底部より立ち上げた側板を分解可能に組立てるための構成を有する組立て式コンテナーに関するものである。
【０００２】
【従来の技術】
ボックスパレットであるとか、コンテナーなどと呼ばれる運搬用の容器には組立て分解可能なものがあり、例えば実開昭５４−６４６３６号のような改良案も提案されている。同考案では、組立て状態のまま側板を取り外すことができるようになっているが、そのために側板を基板と多形枠とによって構成し、また後基板側部に取り付けた止掛具により基板を角形枠の縦柱に固定することが必要であり、構造は仲々複雑である。
【０００３】
これに対して、特開平１１−３６０５６７号の発明は、第１、第２の被連結部材を掛脱可能に連結するハンドル式連結構造を開示しており、ハンドルの延長部分に位相差９０度で設けられているフック部を延長方向の軸周りに回転させることにより、フック部が掛止孔に掛かり或いは脱する位置を選択するという構成を有する。しかし同発明では、ハンドルを正しく９０度手前に引かなければフック部の向きを掛止孔の方向と一致させることができないので、操作が仲々面倒である。また例えば角パイプに開けられている掛止孔にフック部を通すときには、角パイプの中にフック部がある間その向きが分からず、掛止孔に合わせるのに手間取るという欠点がある。
【０００４】
【発明が解決しようとする課題】
本発明は前記の点に着目してなされたもので、その課題は底部より立ち上がる側板を結合することによってコンテナーを組み立てることができ、かつその結合、分解に手間取らず扱いの容易な組立て式コンテナーを提供することである。また本発明の他の課題は、ハンドルのワンタッチ操作で掛け外し可能な結合手段を有する組立て式コンテナーを提供することである。
【０００５】
【課題を解決するための手段】
前記の課題を解決するため本発明は、隣接する一方の側板の端部にハンドル取り付け部を設けるとともに、このハンドル取り付け部に、外側方を上向きに傾斜した傾斜軸孔を形成して、これに、板面と略平行な面内にて回転可能かつ同面内にて直線移動可能に、ハンドルを軸を用いて装着し、ハンドルは外側方へ伸びたフック部を有するとともに、フック部が重りになって下がる位置を取るように、上記ハンドル装着の軸位置を設定し、隣接する他方の側板の端にハンドルのフック部を通す通口部を形成し、かつ通口部の下縁にフック部を掛け止めることにより隣接の立ち上げられた側板同士を固定するという手段を講じたものである。
【０００６】
【発明の実施の形態】
本発明に係る組立て式コンテナーは、底部より立ち上げた側板を分解可能に組立てるための構成を有する。底部は、多くの場合底板と呼ばれる板体であり、底板はさらにパレットと呼ばれる枠組又は板台に取り付けられるケースが多い。コンテナーが分解可能に組立てられる構造であることは、空荷の状態での荷姿が板状と薄くなり、場所を取らず、輸送効率が良くなること、収容能力は非分解式コンテナーと変わらないこと、破損した場合には該当する側板の交換により元通りとなることなど利点が多い。
【０００７】
組立て及び分解のために、隣接する２個の側板の内の一方の側板の端部にハンドル取り付け部を設けるとともに、このハンドル取り付け部に、板面と略平行な面内にて回転可能かつ同面内にて直線的に移動可能に、ハンドルを軸を用いて装着する。従ってハンドルは、軸周りの回転と、軸で拘束される直線移動とを行うことができるが、直線移動は厳密な直線運動である必要はなく、直線又は直線的な運動であれば良い。しかし、これらの回転と直線移動という運動は略１平面上で行われ、しかも一方の側板の板面と事実上平行な平面内での動きであるので、ハンドルを手前に引く動作の必要がない。
【０００８】
ハンドルは外側方へ伸びるフック部を有する。外側方とは、ハンドルが装着される側板の外側の方向を意味している。フック部であるから鉤型と外見上認められる部分を有し、このフック部はハンドルと同一方向、或いは同一ないし平行な面内で鉤型に曲げられている。ハンドルは、フック部が重りになって下がる位置を取るように、上記ハンドル装着の軸位置を設定する。つまり、軸でハンドルを側板側に装着したときに、フック部が下がるように軸支位置を決める。これによりフック部による掛け止め掛け外し操作が容易になる。
【０００９】
そして隣接する他方の側板の端に、ハンドルのフック部を通す通口部を形成する。フック部が通口部に通されるのは、勿論、隣接する一方及び他方の側板が立ち上げられた状態においてであり、通口部の下縁にフック部を掛け止めることにより、隣接した側板同士を固定する。フック部を通す操作は、ハンドルの直線的移動により、またフック部の掛け止めはハンドルの回転によって為され、掛け止めを外すのは逆回転であるので、全部の操作が側面の板面とほぼ平行な動きで行われる。
【００１０】
ハンドルは、フック部方向から見て、クランク状に曲がった部分を有することができる。この場合クランク状部分から上部は側板の板面に近付き、クランク状部分から下は同板面から離れる状態で配置され、かつ側板に設けられているハンドル取り付け部にハンドルを軸支する。ハンドルは、ハンドル取り付け部の裏側に配置することができ、それによってハンドルの上部がハンドル取り付け部に隠されて保護され、下部はハンドル取り付け部から露出し、側板の板面から浮き上がって手を差し入れる空所を提供することになる。
【００１１】
【実施例】
以下、図示の実施例に基づいて本発明をより詳細に説明する。図１に本発明に係る組立て式コンテナー１０の全体を示す。同図において、組立て式コンテナー１０はパレット部１１を下に有するものとして表されており、また底部１２がパレット部１１に組付けられたものとして表されている。底部１２とコンテナー本体部とは底部４辺において止着部１３によって結合し、パレット部１１まで一体化したものとなる（図２、図３参照）。
【００１２】
コンテナー本体部は、長、短２種類の４枚の側板から成り、長側板を符号１４ａ、短側板を符号１４ｂによって示す。長側辺１４ａは端辺が短側板１４ｂの端部内面に突き当てられる位置関係をもって配置されており（図１、図５、図８等参照）、このため長側板１４ａの端辺を短側板１４ｂの端部内面に接するようにして、隣接側板同士を結合することになる。
【００１３】
このような長側板１４ａの端部の上方に、長側板１４ａの板面と略平行な面内にて回転可能かつ同面内にて直線移動可能に、ハンドル１５を装着する。実施例では、長側板１４ａの上隅に板面から所要間隔離してハンドル取り付け部１６を溶接により取り付け、ハンドル取り付け部１６に形成してある傾斜軸孔１７にハンドル１５を軸１８を用いて装着している（図９）。ハンドル１５は手をかけやすいように下部が略Ｗ字型の枠状を有し、上枠部を右側へ延長した部分の先端に鋭角状にて下方へ曲げられた略Ｌ字型のフック部１９を有している。このハンドル１５では、フック部１９が重りとなって下がる位置で軸支されるように軸受部２０がハンドル中央より左方に設定されている。
【００１４】
実施例のハンドル１５は、フック部方向から見てクランク状に曲げられた部分２１を有し、このクランク状部分２１よりも上部１５ａは長側板１４ａの板面に近付き、同部分２１より下部１５ｂは同板面から離れる状態で軸１８により取り付けられている。かくしてハンドル１５はハンドル取り付け部１６に上部１５ａが隠され、下部１５ｂは長側板１４ａの板面から浮いて手を差し入れる空所２２が提供されるように設けられる（図６（ｂ）、図１０参照）。
【００１５】
フック部１９を通す通口部２３は、ハンドル１５を取り付けた長側板１４ａの上隅に隣接する他方の短側板１４ｂに設けられている。当該通口部２３を設けた箇所は短側板１４ｂの枠部であり、角パイプ構造を有し、フック部１９の格納状態での受け止め２４が通口部内に設けられているので、フック部１９の通口部２３内での引っ掛かりなどが防止される。
【００１６】
このように構成された組立て式コンテナー１０は、フック部１９が短側板１４ｂの通口部２３の下縁２５に掛け止められている、図９、図１、図２に示された状態では、隣接の長側板１４ａと短側板１４ｂとが所定の位置関係に固定され、立体のコンテナー１０を形成することとなる。また分解するには、ハンドル１５の内方を下に引いてフック部１９を上げ、さらにハンドル１５を内方へ平行移動させることでフック部１９を通口部２３内に引込ませ、その通口部２３を有する短側板１４ｂを外へ倒すことによりフック部１９による拘束を外すことができる。このとき、ハンドル１５は傾斜軸孔１７によって引込んでおり、上向き傾斜が抵抗となって不意に外方へ突き出ないので、長側板１４ａや短側板１４ｂを折り畳む途中でフック部１９が邪魔になったり、損傷を受けたりするということが回避される。
【００１７】
フック部１９により長側板１４ａの左右の短側板１４ｂの固定、つまり組立て及びその分解が行なわれるが、フック部１９の向きは通口部２３の向きと常に一致しているので、位置合わせに手間取るという問題は起こらない。本コンテナー１０の使用中は、内部に収められた荷によって長側板１４ａ、１４ａ及び短側板１４ｂ、１４ｂを外へ押し開こうとする力が常に作用しており、フック部１９はこれに対抗する状態にあるので、僅かな力で通口部２３の下縁２５に掛け止められているだけでも十分な固定力が得られる。
【００１８】
実施例の組立て式コンテナーは上面開放式として示してあり、かつ段積みのためのずれ止め２８を４隅に有している。ずれ止め２８は、パレット部１１の４隅に設けられている角筒状の受け部２９と嵌合する。
【００１９】
【発明の効果】
本発明は以上の如く構成されかつ作用するものであるから、側板を立てて隣接するもの同士を、フック部と通口部とで構成する結合手段によって固定するようにしたので、コンテナーの組立てを円滑に行なうことができ、フック部の着脱に、向きを合わせるなどの事前調整を必要としないので取り扱いが極く容易になる等、顕著な効果を奏する。
【図面の簡単な説明】
【図１】  本発明に係る組立て式コンテナーの実施例を示す斜視図。
【図２】  同上の正面図。
【図３】  同じく側面図。
【図４】  同じく上面図。
【図５】  図４の要部の外れ止めを示す拡大図。
【図６】  （ａ）ハンドルの正面図。
（ｂ）ハンドルの側面図。
【図７】  ハンドル取り付け部の正面図。
【図８】  本発明における結合手段の平面図
【図９】  同じく正面図。
【図１０】  同じく右側面図。
【符号の説明】
１０  組み立て式コンテナー
１４ａ、１４ｂ  側板
１５  ハンドル
１５ａ、１５ｂ  ハンドル上部、下部
１６  ハンドル取り付け部
１７  軸孔
１８  軸
１９  フック部
２１  クランク状部分
２３  通口部
２５  下縁
【図１】
0003856099.tif 000002
【図２】
0003856099.tif 000003
【図３】
0003856099.tif 000004
【図４】
0003856099.tif 000005
【図５】
0003856099.tif 000006
【図６】
0003856099.tif 000007
【図７】
0003856099.tif 000008
【図８】
0003856099.tif 000009
【図９】
0003856099.tif 000010
【図１０】
0003856099.tif 000011